(57)【要約】【課題】レンズに対する連結部のガタツキを抑えつつ、連結部においてレンズへ損傷を生じさせにくい眼鏡を提供する。【解決手段】眼鏡１は、開口部Ｋ１を有するレンズ４と、開口部Ｋ１に挿入されるネジ部２２と、第１スライド部材２１を有する固定部２と、レンズ４を挟むように固定部２を固定する受け部７と、第１スライド部材２１に摺動可能に支持される第２スライド部材３１を有し、レンズ４を保持するレンズ保持部３と、を備える。開口部Ｋ１を有するレンズ４と、開口部Ｋ１に挿入されるネジ部２２と、第１スライド部材２１を有する固定部２と、第１スライド部材２１に摺動可能に支持される第２スライド部材と、レンズ４を介して固定部２に対向する位置にネジ部２２を挿入する開口部３４を有する保持板とを有し、前記レンズを保持するレンズ保持部３と、レンズ４を挟むように前記保持板を介して固定部２を固定する受け部と、を備える。【選択図】図１
2019152711.tif 000002
【特許請求の範囲】
【請求項１】
開口部を有するレンズと、
前記開口部に挿入されるネジ部と、第１スライド部材を有する固定部と、
前記第１スライド部材に摺動可能に支持される第２スライド部材と、前記レンズを介して前記固定部に対向する位置に前記ネジ部を挿入する開口部を有する保持板とを有し、前記レンズを保持するレンズ保持部と、
前記レンズを挟むように前記保持板を介して前記固定部を固定する受け部と、
を備える
ことを特徴とする眼鏡。
【請求項２】
前記第２スライド部材が前記第１スライド部材に対して摺動することにより、前記レンズ保持部が移動する
ことを特徴とする請求項１に記載の眼鏡。
【請求項３】
前記ネジ部は、前記固定部の前記レンズに接する面に設けられ、前記固定部は、前記第１スライド部材が前記レンズの外縁に沿って前記レンズの外側に向くように構成される
ことを特徴とする請求項１または２に記載の眼鏡。
【請求項４】
前記レンズ保持部は、智と接続され、前記智とレンズを連結するブリッジ部を繋ぐように前記レンズの縁に沿って設けられる
ことを特徴とする請求項１〜３のいずれか１項に記載の眼鏡。
【請求項５】
前記眼鏡は、縁なし眼鏡である
ことを特徴とする請求項１〜４のいずれか１項に記載の眼鏡。
【発明の詳細な説明】
【技術分野】
【０００１】
本発明は、眼鏡に関し、特に縁なし眼鏡の構造に関する。
【背景技術】
【０００２】
従来より、縁なし眼鏡のレンズへの負荷を低減するための連結構造が提案されている。例えば、特許文献１では、レンズ外周に取付けるヨロイ及び両レンズを連結する為の連結部材を、正しく、安定して、しかもレンズに無理な負荷をかけることなく取付けることが出来る縁なしメガネが開示されている。また、特許文献２では、レンズが破損したりヨロイがレンズから外れたりしにくく、かつ安価に製造できる縁なし眼鏡が開示されている。さらに、特許文献３では、構造が単純で組立が至便である良好な性能を有する縁無しタイプの眼鏡が開示されている。
【先行技術文献】
【特許文献】
【０００３】
【特許文献１】特開２０１４−１５３５９１号公報
【特許文献２】特開２０１４−１３４７１７号公報
【特許文献３】特開２００９−１１００００号公報
【発明の概要】
【発明が解決しようとする課題】
【０００４】
しかしながら、特許文献１や特許文献２で開示されている連結構造については、レンズ側の切り欠きが必要で、レンズに対する加工が難しく、加工によるレンズの損傷が発生する恐れがある。レンズに対する加工が多くなればレンズの損傷が起きやすくなる。また、特許文献３では、レンズに対する加工が少なく、連結構造が単純であるものの、ユーザの使用にあたり、レンズのゆがみやガタツキが起きやすい。さらに、ユーザの視力等によりレンズの厚みも変化するため、レンズに合わせた連結構造の部品が必要になることがある。
【０００５】
本発明は、このような状況を鑑みてなされたものであり、レンズに対する連結部のガタツキを抑えつつ、連結部においてレンズへ損傷を生じさせにくい眼鏡を提供することを目的とする。
【課題を解決するための手段】
【０００６】
上記課題を解決するために、本発明の一実施形態に係る眼鏡は開口部を有するレンズと、前記開口部に挿入されるネジ部と、第１スライド部材を有する固定部と、前記第１スライド部材に摺動可能に支持される第２スライド部材と、前記レンズを介して前記固定部に対向する位置に前記ネジ部を挿入する開口部を有する保持板とを有し、前記レンズを保持するレンズ保持部と、前記レンズを挟むように前記保持板を介して前記固定部を固定する受け部と、を備えることを特徴とする。
【発明の効果】
【０００７】
本発明によれば、レンズに対する連結部のガタツキを抑えつつ、連結部においてレンズへ損傷を生じさせにくい眼鏡を提供することができる。
【図面の簡単な説明】
【０００８】
【図１】本発明の一実施形態に係る縁なし眼鏡を示す図である。
【図２】固定部及びレンズ保持部のスライド状態を示す図である。
【図３】固定部の取付け構造を示す図である。
【図４】レンズ保持部の構成を示す図である。
【図５】第２実施形態に係る縁なし眼鏡の構造を示す図である。
【発明を実施するための形態】
【０００９】
本発明の一実施形態に係る眼鏡について、図面を参照して説明する。尚、以下に示す実施例は本発明の眼鏡における好適な具体例であり、施術的に好ましい種々の限定を付している場合もあるが、本発明の技術範囲は、特に本発明を限定する記載が無い限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。従って、以下に示す実施形態の記載をもって、特許請求の範囲に記載された発明の内容を限定するものではない。
【００１０】
（第１実施形態）
まず、図１を参照して、本実施形態に係る眼鏡について説明する。眼鏡１は、レンズ４と、レンズ４を保持するレンズ保持部３と、固定部２とを備える。本実施形態に係る眼鏡１は、縁なし眼鏡であって、固定部２とレンズ保持部３でレンズ４を保持し、不図示の智を介してテンプル部へ接続される。固定部２やレンズ保持部３は、例えば、チタンなどの金属や、樹脂で構成されてよく、その他の材料で構成されてもよい。また、レンズ保持部３は、対のレンズと連結するブリッジ部６に接続し、ブリッジ部６には鼻パッド５が設けられる。レンズ保持部３は、不図示の智を介してテンプル部へと接続され、該智とブリッジ部６を繋ぐように、レンズ４の縁に沿って設けられる。レンズ保持部３がレンズ４の縁に沿って、設けられることから、レンズ４のガタツキやゆがみ等を抑えることができる。
【００１１】
次に、図２を参照して、本実施形態に係る眼鏡１を側面から見た固定部２及びレンズ保持部３のスライド構造について説明する。本実施形態に係る眼鏡１は、レンズ４の厚みに応じて、図２（Ａ）に示す状態から図２（Ｂ）に示す状態にレンズ保持部３が摺動する。つまり、レンズ４の厚みが薄い場合には、図２（Ａ）に示す状態となり、レンズ４の厚みが厚い場合には、第１スライド部材２１に対して第２スライド部材３１がスライドすることにより、レンズ保持部３がスライドして、図２（Ｂ）に示すような状態となる。固定部２は、第１スライド部材２１を有しており、レンズ固定部３の第２スライド部材３１は、第１スライド部材２１に摺動可能に支持されている。つまり、第１スライド部材２１が第２スライド部材３１のガイドとなり、レンズ保持部３の摺動が可能となる。
【００１２】
レンズ保持部３は、第１スライド部材２１と第２スライド部材３１がスライドすることで、レンズ４の厚みに応じた位置でレンズ４を保持することができる。これにより、レンズ４の厚み応じて部品点数を増やすことなく、レンズ４のガタツキを抑えつつ、レンズ４を保持することができる。つまり、ユーザの視力等によりレンズ４の厚みを厚くする必要がある場合、図２（Ｂ）に示すように、レンズ保持部３が第１スライド部材２１をガイドに摺動してレンズ４を保持する状態へ移動する。
【００１３】
次に、図３を参照して、固定部２のレンズ保持部３の取付け構造について説明する。図３（Ａ）は、固定部２の構成を示す図である。固定部２は、第２スライド部材３１を摺動可能に保持しガイドとして機能する一対の第１スライド部材２１と、レンズ４に設けられた開口部に挿入されるネジ部２２とを有する。ネジ部２２は、固定部２のレンズ４に接する面に設けられる。図３（Ｂ）は、固定部２をレンズ４に取り付けた状態を示す図である。
【００１４】
固定部２のネジ部２２は、レンズ４の開口部Ｋ１に挿入され、レンズ４の反対側からレンズ保持部３の保持板３３に設けられた開口部３４を通って受け部７に挿入され固定部２を固定する。本実施形態では、ネジ部２２は、固定部２と一体に設けられる。この構成により、レンズ４への加工は、固定部２のネジ部２２を挿入するための開口部Ｋ１のみでよい。固定部２のレンズ４に接する面（ネジ部２２が設けられている面）は、レンズ４と面接触する形状であって、レンズ４の面に負荷を掛けない面形状でよい。また、固定部２とレンズ４との間及びレンズ４と保持板３３との間にワッシャー２３を配置することで、レンズ４及び開口部Ｋ１により負荷の掛からない構成となる。従って、固定部２等の連結部によるレンズへ損傷を生じさせにくい構造となる。なお、固定部２とネジ部２２は、一体として構成してもよく、溶接（融接、圧接、ろう接など）にて取り付けられてもよい。
【００１５】
固定部２は、レンズ４の外縁に沿って、第１スライド部材２１がレンズ４の外側に向くように構成される。そして、固定部２と対向して、レンズ４を、保持板３３を介して受け部７で挟むように構成することにより、固定される。そして、第１スライド部材２１に摺動可能に支持される第２スライド部材３１は、智３２を介してテンプル部３５へ接続される。本実施形態では、第１スライド部材２１は、第２スライド部材３１を摺動可能に保持し、ガイドの機能を有する一対の爪で構成されているが、これに限定することなく、例えば、第２スライド部材３１を摺動可能に支持し、第２スライド部材３１が挿入可能な開口を有する部材等、第２スライド部材３１を摺動可能に保持できる形状を有する部材であれば、限定しない。
【００１６】
次に、図４を参照して、レンズ保持部３の構成について説明する。図４（Ａ）は、レンズ保持部３の正面図であり、図４（Ｂ）は、レンズ保持部３の側面図である。レンズ保持部３は、第１スライド部材２１に摺動可能に支持される第２スライド部材３１を有し、智３２を介してテンプル部３５へ接続される。また、レンズ保持部３は、固定部２とレンズ４を挟んで対向してレンズ４を保持する保持板３３と、固定部２のネジ部２２を挿入する開口部３４とを有する。図４（Ａ）に示すように、レンズ保持部３は、智３２と、図１に示すブリッジ部６を繋ぐように、レンズ４の外縁に沿って設けられる。第２スライド部材３１は、第１スライド部材２１に摺動可能に支持され、レンズ４の厚みに応じてスライドする。つまり、第２スライド部材３１が図２に示す第１スライド部材２１の爪の内側に挿入されて、第１スライド部材２１に摺動可能に支持される。なお、本実施形態では、レンズ保持部３と第２スライド部材３１と智３２を介してテンプル部３５が一体として構成している。しかしながら、これに限定することなく、固定部２の第１スライド部材２１に摺動可能に支持されるスライド部材によりレンズ保持部３がスライドしてレンズ４を保持する構成であればよい。
【００１７】
以上、本実施形態によれば、固定部２、レンズ保持部３、受け部７から成るレンズに対する連結部のガタツキを抑えつつ、連結部においてレンズへ損傷を生じさせにくい縁なし眼鏡を提供することができる。さらに、レンズ保持部３によりレンズ４が保持されることで、レンズ４のゆがみ等も抑えることができる。縁なし眼鏡である場合、レンズ４に対して２か所で連結部を固定することにより、眼鏡を構成している。２か所のみの固定であることで、ユーザの使用等によりレンズ４がゆがむ恐れがあり、レンズ４が安定しない。本実施形態では、レンズ保持部３がレンズ４の縁に沿って設けられていることで、レンズ４のゆがみが抑えられ、眼鏡の装着が安定する。
【００１８】
（第２実施形態）
次に、図５を参照して、本実施形態に係る縁なし眼鏡の構造について説明する。第１実施形態では、レンズ保持部３がレンズ４の縁に沿って智からブリッジ部へ繋がる構造となっている。これに対して、本実施形態では、図５に示すように、レンズ保持部８は、レンズ４の縁に沿って、固定部２を中心に所定の長さを有してレンズ４の外側からレンズ４を保持する構成となる。なお、レンズ保持部８の所定の長さは、レンズ４を保持する長さであれば、長さを限定しない。
【００１９】
以上、本実施形態によれば、レンズに対する連結部のガタツキを抑えつつ、連結部においてレンズへ損傷を生じさせにくい縁なし眼鏡を提供することができる。本実施形態でも、レンズ保持部８がレンズ４の縁に沿ってレンズ４の外側から保持する構成を有しているため、レンズ４のゆがみ等が抑えられて安定する。
【符号の説明】
【００２０】
１    眼鏡
２    固定部
２１  第１スライド部材
２２  ネジ部
３    レンズ保持部
３１  第２スライド部材３１
３３  保持板
３４  開口部
４    レンズ
７    受け部
Ｋ１  開口部
【図１】
2019152711.tif 000003
【図２】
2019152711.tif 000004
【図３】
2019152711.tif 000005
【図４】
2019152711.tif 000006
【図５】
2019152711.tif 000007